【手続補正書】
【提出日】平成16年9月29日(2004.9.29)
【手続補正１】
【補正対象書類名】明細書
【補正対象項目名】発明の名称
【補正方法】変更
【補正の内容】
【発明の名称】情報処理装置及び情報処理方法及びそれを実施するプログラムをコンピュータ読み取り可能に記憶する記憶媒体
【手続補正２】
【補正対象書類名】明細書
【補正対象項目名】特許請求の範囲
【補正方法】変更
【補正の内容】
【特許請求の範囲】
【請求項１】
ネットワークを介したサービスの要求に対して、該サービスの提供を管理する情報処理装置において、
前記サービスの要求に係るデータを登録する登録手段と、
前記データを検証する検証手段と、
前記検証手段による検証結果を前記サービスの要求元に通知する通知手段と、
前記登録手段による登録処理の状態に基づいて、前記通知手段による通知方法を変える通知方法制御手段とを有することを特徴とする情報処理装置。
【請求項２】
前記通知方法制御手段は、前記検証手段による検証結果及び前記登録手段による登録処理の状態に基づいて、前記通知手段による通知方法を変えることを特徴とする請求項１記載の情報処理装置。
【請求項３】
前記検証手段によるデータの検証処理は前記情報処理装置上のバックグラウンド処理として行われ、前記登録手段による当該データの登録処理と並行して行われることを特徴とする請求項１又は２記載の情報処理装置。
【請求項４】
前記登録手段によるデータの登録はＷｅｂブラウザを介した指示に基づいて行われ、
前記通知方法制御手段は、前記通知手段が検証結果を通知する際に、前記登録手段による登録処理がＷｅｂブラウザを介した指示を受ける処理中であれば、Ｗｅｂブラウザを介して該検証結果を通知し、前記登録手段による登録処理がＷｅｂブラウザを介した指示を受けた後の処理に移行していれば、該検証結果を電子メールで通知するよう通知方法を変更することを特徴とする請求項１乃至３のいずれか１つに記載の情報処理装置。
【請求項５】
前記通知方法制御手段は、前記登録手段による登録処理がＷｅｂブラウザを介した指示を受ける処理中に前記検証手段による検証が終了しなかった場合は、検証処理中であることと検証結果を電子メールにより別途通知することを、Ｗｅｂブラウザを介して通知するよう制御することを特徴とする請求項４記載の情報処理装置。
【請求項６】
前記サービスは印刷サービスであって、
前記情報処理装置は、印刷サービス要求にかかる印刷データを前記登録手段に登録して、印刷サービス提供手段に該印刷データを印刷させるサーバであることを特徴とする請求項１乃至５のいずれか１つに記載の情報処理装置。
【請求項７】
前記通知手段は、前記登録手段による登録処理が完了する前に、前記検証手段による検証結果に応じて前記通知を行うよう前記通知方法制御手段によって制御されることを特徴とする請求項１又は２記載の情報処理装置。
【請求項８】
ネットワークを介したサービスの要求に対して、該サービスの提供を管理する情報処理装置の制御方法において、
前記サービスの要求に係るデータを登録する登録工程と、
前記データを検証する検証工程と、
前記登録工程による登録処理の状態に基づいて、前記サービスの要求元に前記検証工程による検証結果を通知する際の通知方法を変える通知方法制御工程と、
前記通知方法制御工程による通知方法で、前記サービスの要求元に前記検証工程による検証結果を通知する通知工程とを有することを特徴とする情報処理装置の制御方法。
【請求項９】
前記通知方法制御工程は、前記検証工程による検証結果及び前記登録工程による登録処理の状態に基づいて、前記通知工程での通知方法を変えることを特徴とする請求項８記載の情報処理装置の制御方法。
【請求項１０】
前記検証工程によるデータの検証処理は前記情報処理装置上のバックグラウンド処理として行い、前記登録工程による当該データの登録処理と並行して行うことを特徴とする請求項８又は９記載の情報処理装置の制御方法。
【請求項１１】
前記登録工程によるデータの登録はＷｅｂブラウザを介した指示に基づいて行われ、
前記通知方法制御工程は、前記通知工程が検証結果を通知する際に、前記登録工程による登録処理がＷｅｂブラウザを介した指示を受ける処理中であれば、Ｗｅｂブラウザを介して該検証結果を通知し、前記登録工程による登録処理がＷｅｂブラウザを介した指示を受けた後の処理に移行していれば、該検証結果を電子メールで通知するよう通知方法を変更することを特徴とする請求項８乃至１０のいずれか１つに記載の情報処理装置の制御方法。
【請求項１２】
前記通知方法制御工程は、前記登録工程による登録処理がＷｅｂブラウザを介した指示を受ける処理中に前記検証工程による検証が終了しなかった場合は、検証処理中であることと検証結果を電子メールにより別途通知することを、Ｗｅｂブラウザを介して通知するよう制御することを特徴とする請求項１１記載の情報処理装置の制御方法。
【請求項１３】
前記サービスは印刷サービスであって、
前記情報処理装置は、印刷サービス要求にかかる印刷データを前記登録手段に登録して、印刷サービス提供手段に該印刷データを印刷させるサーバであることを特徴とする請求項８乃至１２のいずれか１つに記載の情報処理装置の制御方法。
【請求項１４】
前記通知工程は、前記登録工程による登録処理が完了する前に、前記検証工程による検証結果に応じて前記通知を行うよう前記通知方法制御工程によって制御されることを特徴とする請求項８又は９記載の情報処理装置の制御方法。
【請求項１５】
前記請求項８乃至１４のいずれか１項に記載の情報処理装置の制御方法をコンピュータに実行させるためのプログラムを記憶したコンピュータ読み取り可能な記憶媒体。
【手続補正３】
【補正対象書類名】明細書
【補正対象項目名】０００１
【補正方法】変更
【補正の内容】
【０００１】
【産業上の利用分野】
本発明はインターネットを介したユーザからのサービスの要求に対して、該サービスの要求を検証する技術に関し、特に印刷サービスの要求においてセンターサーバにアップロードされた印刷データが印刷サービスを提供する印刷ショップの印刷装置で正常な印刷結果を得られるかどうかをセンターサーバ上で検証し、その検証結果や検証状態をユーザに通知する情報処理装置及び情報処理方法及びそれを実施するプログラムをコンピュータ読み取り可能に記憶する記憶媒体に関するものである。
【手続補正４】
【補正対象書類名】明細書
【補正対象項目名】０００５
【補正方法】変更
【補正の内容】
【０００５】
本発明は、上記従来の問題点に鑑み、サービス対象のデータの検証処理をユーザに適時に通知する情報処理装置及び情報処理方法及びそれを実施するプログラムをコンピュータ読み取り可能に記憶する記憶媒体を提供する。
【手続補正５】
【補正対象書類名】明細書
【補正対象項目名】０００６
【補正方法】変更
【補正の内容】
【０００６】
【課題を解決するための手段】
この課題を解決するために、本発明の情報処理装置は、ネットワークを介したサービスの要求に対して、該サービスの提供を管理する情報処理装置において、前記サービスの要求に係るデータを登録する登録手段と、前記データを検証する検証手段と、前記検証手段による検証結果を前記サービスの要求元に通知する通知手段と、前記登録手段による登録処理の状態に基づいて、前記通知手段による通知方法を変える通知方法制御手段とを有することを特徴とする。
【手続補正６】
【補正対象書類名】明細書
【補正対象項目名】０００７
【補正方法】変更
【補正の内容】
【０００７】
ここで、前記通知方法制御手段は、前記検証手段による検証結果及び前記登録手段による登録処理の状態に基づいて、前記通知手段による通知方法を変える。また、前記検証手段によるデータの検証処理は前記情報処理装置上のバックグラウンド処理として行われ、前記登録手段による当該データの登録処理と並行して行われる。また、前記登録手段によるデータの登録はＷｅｂブラウザを介した指示に基づいて行われ、前記通知方法制御手段は、前記通知手段が検証結果を通知する際に、前記登録手段による登録処理がＷｅｂブラウザを介した指示を受ける処理中であれば、Ｗｅｂブラウザを介して該検証結果を通知し、前記登録手段による登録処理がＷｅｂブラウザを介した指示を受けた後の処理に移行していれば、該検証結果を電子メールで通知するよう通知方法を変更する。また、前記通知方法制御手段は、前記登録手段による登録処理がＷｅｂブラウザを介した指示を受ける処理中に前記検証手段による検証が終了しなかった場合は、検証処理中であることと検証結果を電子メールにより別途通知することを、Ｗｅｂブラウザを介して通知するよう制御する。また、前記サービスは印刷サービスであって、前記情報処理装置は、印刷サービス要求にかかる印刷データを前記登録手段に登録して、印刷サービス提供手段に該印刷データを印刷させるサーバである。また、前記通知手段は、前記登録手段による登録処理が完了する前に、前記検証手段による検証結果に応じて前記通知を行うよう前記通知方法制御手段によって制御される。
【手続補正７】
【補正対象書類名】明細書
【補正対象項目名】０００８
【補正方法】変更
【補正の内容】
【０００８】
また、この課題を解決するために、本発明の情報処理装置の制御方法は、ネットワークを介したサービスの要求に対して、該サービスの提供を管理する情報処理装置の制御方法において、前記サービスの要求に係るデータを登録する登録工程と、前記データを検証する検証工程と、前記登録工程による登録処理の状態に基づいて、前記サービスの要求元に前記検証工程による検証結果を通知する際の通知方法を変える通知方法制御工程と、前記通知方法制御工程による通知方法で、前記サービスの要求元に前記検証工程による検証結果を通知する通知工程とを有することを特徴とする。
【手続補正８】
【補正対象書類名】明細書
【補正対象項目名】０００９
【補正方法】変更
【補正の内容】
【０００９】
ここで、前記通知方法制御工程は、前記検証工程による検証結果及び前記登録工程による登録処理の状態に基づいて、前記通知工程での通知方法を変える。また、前記検証工程によるデータの検証処理は前記情報処理装置上のバックグラウンド処理として行い、前記登録工程による当該データの登録処理と並行して行う。また、前記登録工程によるデータの登録はＷｅｂブラウザを介した指示に基づいて行われ、前記通知方法制御工程は、前記通知工程が検証結果を通知する際に、前記登録工程による登録処理がＷｅｂブラウザを介した指示を受ける処理中であれば、Ｗｅｂブラウザを介して該検証結果を通知し、前記登録工程による登録処理がＷｅｂブラウザを介した指示を受けた後の処理に移行していれば、該検証結果を電子メールで通知するよう通知方法を変更する。また、前記通知方法制御工程は、前記登録工程による登録処理がＷｅｂブラウザを介した指示を受ける処理中に前記検証工程による検証が終了しなかった場合は、検証処理中であることと検証結果を電子メールにより別途通知することを、Ｗｅｂブラウザを介して通知するよう制御する。また、前記サービスは印刷サービスであって、前記情報処理装置は、印刷サービス要求にかかる印刷データを前記登録手段に登録して、印刷サービス提供手段に該印刷データを印刷させるサーバである。また、前記通知工程は、前記登録工程による登録処理が完了する前に、前記検証工程による検証結果に応じて前記通知を行うよう前記通知方法制御工程によって制御される。
【手続補正９】
【補正対象書類名】明細書
【補正対象項目名】００１０
【補正方法】変更
【補正の内容】
【００１０】
更に、上記情報処理装置の制御方法をコンピュータに実行させるためのプログラムをコンピュータ読み取り可能に記憶する記憶媒体をも提供する。
【手続補正１０】
【補正対象書類名】明細書
【補正対象項目名】００６２
【補正方法】変更
【補正の内容】
【００６２】
【発明の効果】
本発明により、サービス対象のデータの検証処理をユーザに適時に通知する情報処理装置及び情報処理方法及びそれを実施するプログラムをコンピュータ読み取り可能に記憶する記憶媒体を提供できる。